(57)【要約】【課題】改善されたアクセスドアを有する風力発電装置および風力発電装置タワーを提供する。【解決手段】アクセスドア（３００）を有するタワー（１０２）を備える風力発電装置であって、  前記アクセスドア（３００）は、ドア錠と外側にバッフルプレート（３１０）とを有し、当該バッフルプレートは実質的にドアの全面にわたって延在しており、かつ切欠部（３１２）を有しており、  前記切欠部（３１２）の領域内にはドアノブ（３０７）が設けられており、  前記バッフルプレート（３１０）の外側は、少なくとも部分的に前記ドア錠を超えて外に突き出て構成されている。【選択図】図２
2016516943.tif 000002
【特許請求の範囲】
【請求項１】
アクセスドア（３００）を有するタワー（１０２）を備える風力発電装置であって、
前記アクセスドア（３００）は、ドア錠と外側にバッフルプレート（３１０）とを有し、当該バッフルプレートは実質的にドアの全面にわたって延在しており、かつ切欠部（３１２）を有しており、
前記切欠部（３１２）の領域内にはドアノブ（３０７）が設けられており、
前記バッフルプレート（３１０）の外側は、少なくとも部分的に前記ドア錠を超えて外に突き出て構成されている、風力発電装置。
【請求項２】
前記アクセスドア（３００）は、垂直と水平の支柱（３２１，３２２）から形成された格子を内側に有する、請求項１に記載の風力発電装置。
【請求項３】
隣接する水平の支柱（３２２）または隣接する垂直の支柱（３２１）の間の間隔は６０ｃｍ以下、とりわけ３０ｃｍ以下である、請求項２に記載の風力発電装置。
【請求項４】
穴付プレート（３２３）が格子構造（３２０）とバッフルプレート（３１０）との間に設けられている、請求項１から３のいずれか一項に記載の風力発電装置。
【請求項５】
アクセスドア（３００）は、締め付けプレート（３３０）を介してタワー壁に取り付けられている、請求項１から４のいずれか一項に記載の風力発電装置。
【請求項６】
アクセスドア（３００）を備える風力発電装置タワーであって、
前記アクセスドア（３００）は、ドア錠と外側にバッフルプレート（３１０）とを有しており、当該バッフルプレートは実質的にドアの全面にわたって延在しており、かつ切欠部（３１２）を有しており、
前記切欠部（３１２）の領域内にはドアノブ（３０７）が設けられており、
前記バッフルプレート（３１０）の外側は、少なくとも部分的に前記ドア錠を超えて外に突き出て構成されている、風力発電装置タワー。
【発明の詳細な説明】
【技術分野】
【０００１】
本発明は、風力発電装置および風力発電装置タワーに関する。
【背景技術】
【０００２】
風力発電装置は、典型的にはタワーと、タワーの下方領域にあるアクセスドアとを有する。ドアは、保守および点検要員が風力発電装置に立ち入ることができ、一方、権限のない人間は侵入が妨げられるようにするために用いられる。
【０００３】
したがってアクセスドアは、権限のない人間が風力発電装置に侵入することができないように構成することが重要である。最近、窃盗犯が、金属を盗むために風力発電装置に侵入するということがあった。
【０００４】
優先権に基づくドイツ特許出願においてドイツ商標特許庁は以下の刊行物を調査した：DE 28 37 805 A1; DE 10 2007 016 756 A1; AT 006 967 U1; FR 2 588 606 A1; GB 2 185 056 A およびEP 1 873 337 A2。
【先行技術文献】
【特許文献】
【０００５】
【特許文献１】DE 28 37 805 A1
【特許文献２】DE 10 2007 016 756 A1
【特許文献３】AT 006 967 U1
【特許文献４】FR 2 588 606 A1
【特許文献５】GB 2 185 056 A
【特許文献６】EP 1 873 337 A2
【発明の概要】
【発明が解決しようとする課題】
【０００６】
したがって本発明の課題は、改善されたアクセスドアを有する風力発電装置および風力発電装置タワーを提供することである。
【課題を解決するための手段】
【０００７】
この課題は、請求項１による風力発電装置および請求項６による風力発電装置タワーによって解決される。
【発明を実施するための形態】
【０００８】
したがってタワーを備える風力発電装置にアクセスドアが設けられる。このアクセスドアは、ドア錠とその外側にバッフルプレートとを有し、このバッフルプレートは実質的にドアの全面にわたって延在しており、切欠部を有する。切欠部の領域内にはドアノブが設けられている。バッフルプレートの外側は、少なくとも部分的にドア錠を超えて外に突き出ている。
【０００９】
本発明の一側面によれば、アクセスドアはその内側に、垂直および水平の支柱から形成された格子を有する。
【００１０】
本発明のさらなる一側面によれば、隣接する水平または隣接する垂直の支柱の間の間隔は≦６０ｃｍであり、とりわけ≦３０ｃｍである。
【００１１】
本発明のさらなる一側面によれば、穴付プレートが格子構造とバッフルプレートとの間に設けられている。
【００１２】
本発明のさらなる一側面によれば、アクセスドアは締め付けプレートを介してドア壁に取り付けられている。
【００１３】
本発明は同様に、アクセスドアを有する風力発電装置タワーに関するものであり、ここでアクセスドアは、ドア錠とその外側にバッフルプレートとを有しており、このバッフルプレートは実質的にドアの全面にわたって延在しており、切欠部を有する。切欠部の領域内にはドアノブが設けられている。バッフルプレートの外側は少なくとも部分的にドア錠を超えて外に突き出ている。
【００１４】
本発明によれば、アクセスドアは少なくともＤＩＮ規格、DIN EN ISO 1627: 2011-09を満たし、抵抗等級４（Widerstandsklasse 4）を有する。
【００１５】
本発明は、風力発電装置タワーのために、高い侵入安全性を有するアクセスドアを設けるという考えに関連する。そのためにドアの外側にバッフルプレートを設けることができる。バッフルプレートは、錠とドアノブの領域に切欠部を有する。ドアフレームは、締め付けプレートによってドア壁に固定することができる。ドアの内側には水平および垂直の補強材（支柱）が設けられており、これらは共に格子構造を形成する。隣接する支柱の間の間隔は好ましくは≦６０ｃｍである。
【００１６】
任意でドアフレームを外側に設けることができる。この種のドアフレームは硬化材料から作製される。
【００１７】
本発明のさらなる構成は従属請求項の対象である。
【００１８】
本発明の利点および実施例を以下、図面を参照して詳細に説明する。
【図面の簡単な説明】
【００１９】
【図１】本発明の一風力発電装置の概略図である。
【図２】第１実施例によるアクセスドアの外側の概略図である。
【図３】第１実施例によるアクセスドアの内側の概略図である。
【図４】図２の断面Ａ−Ａに沿った断面図である。
【実施例】
【００２０】
図１は、本発明による本発明の一風力発電装置の概略図である。風力発電装置１００は、タワー１０２とナセル１０４を有する。ナセル１０４には、３つのロータブレード１０８と１つのスピナを備えるロータ１０６が設けられている。ロータ１０６は稼働時に風により回転運動される。発電機は直接または間接的にロータと接続されており、これによりロータの回転運動が発電機の回転運動になり、そして発電機は電力を発電する。ロータブレード１０８のピッチないし設定角度は、それぞれのロータブレードのロータブレード根元にあるピッチモータにより変更することができる。風力発電装置のタワー１０２の下方領域にはアクセスドア３００が設けられている。このアクセスドア３００には本発明により、改善された侵入保護機能が装備されている。
【００２１】
図２は、第１実施例による風力発電装置用のアクセスドアの外側（戸板）を概略的に示す。アクセスドア３００はフレーム３０５とドアヒンジ３０１を有し、ドアヒンジよってドアを開放することができる。ドアの外側にはバッフルプレート３１０が設けられている。バッフルプレート３１０は、ドアノブ３０７の領域に切欠部（凹部）３１２を有する。これによりドアノブ３０７およびドア錠の領域をバッフルプレートに対して（外側から見て内側へ）後退させることができる。これにより、侵入者が例えば鉄梃等を十分に効果的に使用できることを阻止することができる。
【００２２】
図３は、第１実施例による風力発電装置のアクセスドアの内側を概略的に示す。アクセスドアは、フレーム３０５および垂直と水平の支柱（格子組み部材ないしバー）３２０，３２１，３２２を有する。垂直および水平の支柱３２１，３２２は格子構造を形成する。隣接する水平および／または垂直の支柱の間の間隔は、≦６０ｃｍ、とりわけ≦３０ｃｍである。任意で穴付プレート３２３を格子構造３２０の後方に、すなわち格子構造３２０とバッフルプレート３１０との間に設けることができる。ドアは内側にドアグリップ３０８を有する。
【００２３】
アクセスドア３００の内側にある格子構造３２０により、バッフルプレート３１０が取り外された場合であっても、風力発電装置への侵入を効果的に阻止できることを保証することができる。
【００２４】
図４は、図２の断面Ａ−Ａに沿った断面図である。アクセスドア３００は、締め付けプレート３３０によってタワーの壁１０２に取り付け（固定）されている。締め付けプレート３３０は、タワーの壁１０２に例えばネジによって固定される第１の端部３３１と、ドアのフレーム３０５に例えばネジによって固定される第２の端部３３２を有する。ドアはその外側にバッフルプレート３１０を有し、バッフルプレートの両端部３１１は斜めに構成されている。ドアの内側には、垂直および水平の支柱３２１，３２２から形成された格子構造３２０が設けられている。支柱は、例えば互いに溶接することができる。
【００２５】
内側にはドアグリップ３０８を、外側にはドアノブ３０７を設けることができる。バッフルプレート３１０は、好ましくは少なくとも部分的にドアノブ３０７を超えて（外方へ）突き出ている。ドアノブ３０７および錠は、バッフルプレート３１０の切欠部３１２の領域内に設けることができる。
【００２６】
ドア３００はドアヒンジ３０１を介してドアフレーム３０５に取り付けることができ。
【００２７】
本発明によればバッフルプレート３１０は内側からねじ留めすることができる。
【００２８】
任意でドアまたはドアフレームの上方に穴を設け、ドア内部の受動式換気を行うことができる。
【００２９】
好ましくは隣接する垂直または水平の支柱３２１，３２２の間の間隔は≦３０ｃｍである。
【００３０】
任意で垂直および／または水平の支柱３２１，３２２に、緩く支承された円形材料を設けることができ、これは格子（組み支柱ないしバー材）の鋸引きを阻止することができる。
【００３１】
穴付格子（穴付プレート）３２３は、侵入防止部材として用いられる。
【符号の説明】
【００３２】
１００  風力発電装置
１０２  タワー、タワーの壁
１０４  ナセル
１０６  ロータ
１０８  ロータブレード
３００  アクセスドア
３０１  ドアヒンジ
３０５  フレーム
３０７  ドアノブ
３０８  ドアグリップ
３１０  バッフルプレート
３１１  バッフルプレートの端部
３１２  切欠部
３２０  格子構造
３２１，３２２  支柱
３２３  穴付プレート、穴付格子
３３０  締め付けプレート
３３１，３３２  締め付けプレートの端部
【図１】
2016516943.tif 000003
【図２】
2016516943.tif 000004
【図３】
2016516943.tif 000005
【図４】
2016516943.tif 000006
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
アクセスドア（３００）を有するタワー（１０２）を備える風力発電装置であって、
前記アクセスドア（３００）は、ドア錠と外側にバッフルプレート（３１０）とを有し、当該バッフルプレートは実質的にドアの全面にわたって延在しており、かつ切欠部（３１２）を有しており、
前記切欠部（３１２）の領域内にはドアノブ（３０７）が設けられており、
前記バッフルプレート（３１０）の外側は、少なくとも部分的に前記ドア錠を超えて外に突き出て構成されている、風力発電装置。
【請求項２】
前記アクセスドア（３００）は、垂直と水平の支柱（３２１，３２２）から形成された格子を内側に有する、請求項１に記載の風力発電装置。
【請求項３】
隣接する水平の支柱（３２２）または隣接する垂直の支柱（３２１）の間の間隔は６０ｃｍ以下である、請求項２に記載の風力発電装置。
【請求項４】
穴付プレート（３２３）が格子構造（３２０）とバッフルプレート（３１０）との間に設けられている、請求項１から３のいずれか一項に記載の風力発電装置。
【請求項５】
アクセスドア（３００）は、締め付けプレート（３３０）を介してタワー壁に取り付けられている、請求項１から４のいずれか一項に記載の風力発電装置。
【請求項６】
隣接する水平の支柱（３２２）または隣接する垂直の支柱（３２１）の間の間隔は３０ｃｍ以下である、請求項３に記載の風力発電装置。
【請求項７】
アクセスドア（３００）を備える風力発電装置タワーであって、
前記アクセスドア（３００）は、ドア錠と外側にバッフルプレート（３１０）とを有しており、当該バッフルプレートは実質的にドアの全面にわたって延在しており、かつ切欠部（３１２）を有しており、
前記切欠部（３１２）の領域内にはドアノブ（３０７）が設けられており、
前記バッフルプレート（３１０）の外側は、少なくとも部分的に前記ドア錠を超えて外に突き出て構成されている、風力発電装置タワー。
【手続補正２】
【補正対象書類名】明細書
【補正対象項目名】０００７
【補正方法】変更
【補正の内容】
【０００７】
この課題は、請求項１による風力発電装置および請求項６による風力発電装置タワーによって解決される。
本発明では以下の形態が可能である。
（形態１）アクセスドアを有するタワーを備える風力発電装置であって、前記アクセスドアは、ドア錠と外側にバッフルプレートとを有し、当該バッフルプレートは実質的にドアの全面にわたって延在しており、かつ切欠部を有しており、前記切欠部の領域内にはドアノブが設けられており、前記バッフルプレートの外側は、少なくとも部分的に前記ドア錠を超えて外に突き出て構成されている風力発電装置が提供される。
（形態２）前記アクセスドアは、垂直と水平の支柱から形成された格子を内側に有することが好ましい。
（形態３）隣接する水平の支柱または隣接する垂直の支柱の間の間隔は６０ｃｍ以下、とりわけ３０ｃｍ以下であることが好ましい。
（形態４）穴付プレートが格子構造とバッフルプレートとの間に設けられていることが好ましい。
（形態５）アクセスドアは、締め付けプレートを介してタワー壁に取り付けられていることが好ましい。
（形態６）アクセスドアを備える風力発電装置タワーであって、前記アクセスドアは、ドア錠と外側にバッフルプレートとを有しており、当該バッフルプレートは実質的にドアの全面にわたって延在しており、かつ切欠部を有しており、前記切欠部の領域内にはドアノブが設けられており、前記バッフルプレートの外側は、少なくとも部分的に前記ドア錠を超えて外に突き出て構成されている風力発電装置タワーが提供される。
なお、特許請求の範囲に付記した図面参照番号はもっぱら理解を助けるためであり、図示の態様に限定することを意図するものではない。
【国際調査報告】
2016516943.tif 000007
2016516943.tif 000008
2016516943.tif 000009
2016516943.tif 000010
2016516943.tif 000011
2016516943.tif 000012